(57)【要約】【課題】  稼働中のシステムにおける装置の追加配置（組込み）における省力化及び運用コストの低減を図ることが可能な移動通信システムを提供する。【解決手段】  管理サーバ６は、装置の追加設置を行う際に、予め登録されたエスカレーションシナリオに則って当該追加装置の接続先や機能を段階的にエスカレーションさせ、通常の運用状態に導く手段と、システム全体としての動作の正常性を一元的に監視する手段と、当該シナリオの内容をオペレータやベンダのニーズに応じて自由にカスタマイズする手段と、装置の追加設置によって異常が発生した場合に当該装置を即刻システムから切離すとともにその影響範囲や原因を特定する手段とを有する。ＭＭＥ／ＵＰＥ１，２及びｅＮｏｄｅＢ３〜５等の被管理装置内には、管理サーバ６からの指示に応じ、自装置の状態をレポートするクライアント的な機能を有している。【選択図】      図１
2008109321.tif 000002
【特許請求の範囲】
【請求項１】
無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムであって、
前記複数のコアネットワーク装置及び前記ｅＮｏｄｅＢ各々の動作の正常性を一元的に監視する管理サーバ装置を有し、
前記管理サーバ装置は、予め登録されたエスカレーションシナリオに則って稼働中に追加される追加装置の接続先及び機能を段階的にエスカレーションさせて通常の運用状態に導く手段と、システム全体としての動作の正常性を一元的に監視する手段と、前記追加装置の設置によって異常が発生した場合に当該追加装置をシステムから切離しかつその影響範囲及び原因を特定する手段とを具備することを特徴とする移動通信システム。
【請求項２】
前記管理サーバ装置は、前記エスカレーションシナリオの内容をオペレータ及びベンダの要求に応じてカスタマイズ自在とする手段を含むことを特徴とする請求項１記載の移動通信システム。
【請求項３】
前記エスカレーションシナリオは、エンドユーザの通話品質に直結する監視項目が設定されることを特徴とする請求項１または請求項２記載の移動通信システム。
【請求項４】
前記複数のコアネットワーク装置及び前記ｅＮｏｄｅＢ各々は、前記管理サーバからの指示に応じて自装置の状態をレポートする機能を含むことを特徴とする請求項１から請求項３のいずれか記載の移動通信システム。
【請求項５】
前記コアネットワーク装置は、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）であることを特徴とする請求項１から請求項４のいずれか記載の移動通信システム。
【請求項６】
無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムにおいて、前記複数のコアネットワーク装置及び前記ｅＮｏｄｅＢ各々の動作の正常性を一元的に監視する手段と、
予め登録されたエスカレーションシナリオに則って稼働中に追加される追加装置の接続先及び機能を段階的にエスカレーションさせて通常の運用状態に導く手段と、
前記追加装置の設置によって異常が発生した場合に当該追加装置をシステムから切離しかつその影響範囲及び原因を特定する手段とを有することを特徴とする管理サーバ装置。
【請求項７】
前記エスカレーションシナリオの内容をオペレータ及びベンダの要求に応じてカスタマイズ自在とする手段を含むことを特徴とする請求項６記載の管理サーバ装置。
【請求項８】
前記エスカレーションシナリオは、エンドユーザの通話品質に直結する監視項目が設定されることを特徴とする請求項６または請求項７記載の管理サーバ装置。
【請求項９】
無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムに用いる装置管理方法であって、
前記複数のコアネットワーク装置及び前記ｅＮｏｄｅＢ各々の動作の正常性を一元的に監視する管理サーバ装置が、予め登録されたエスカレーションシナリオに則って稼働中に追加される追加装置の接続先及び機能を段階的にエスカレーションさせて通常の運用状態に導く処理と、システム全体としての動作の正常性を一元的に監視する処理と、前記追加装置の設置によって異常が発生した場合に当該追加装置をシステムから切離しかつその影響範囲及び原因を特定する処理とを実行することを特徴とする装置管理方法。
【請求項１０】
前記管理サーバ装置が、前記エスカレーションシナリオの内容をオペレータ及びベンダの要求に応じてカスタマイズ自在とすることを特徴とする請求項９記載の装置管理方法。
【請求項１１】
前記エスカレーションシナリオは、エンドユーザの通話品質に直結する監視項目が設定されることを特徴とする請求項９または請求項１０記載の装置管理方法。
【請求項１２】
前記複数のコアネットワーク装置及び前記ｅＮｏｄｅＢ各々が、前記管理サーバからの指示に応じて自装置の状態をレポートすることを特徴とする請求項９から請求項１１のいずれか記載の装置管理方法。
【請求項１３】
前記コアネットワーク装置が、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）であることを特徴とする請求項９から請求項１２のいずれか記載の装置管理方法。
【発明の詳細な説明】
【技術分野】
【０００１】
本発明は移動通信システム、管理サーバ装置及びそれらに用いる装置管理方法に関し、特に複数の異種装置間や同一種装置間をメッシュ接続する移動通信システムにおける装置管理方法に関する。
【背景技術】
【０００２】
次世代移動通信システムとしては、３ＧＰＰ（３ｒｄ  Ｇｅｎｅｒａｔｉｏｎ  Ｐａｒｔｎｅｒｓｈｉｐ  Ｐｒｏｊｅｃｔ）で現在標準化中のｅｖｏｌｖｅｄ  ＵＴＲＡ（Ｕｎｉｖｅｒｓａｌ  Ｔｅｒｒｅｓｔｒｉａｌ  Ｒａｄｉｏ  Ａｃｃｅｓｓ）／ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にしたがって検討されている移動通信システムがある。
【０００３】
この移動通信システムにおいては、ＲＮＣ（Ｒａｄｉｏ  Ｎｅｔｗｏｒｋ  Ｃｏｎｔｒｏｌｌｅｒ：無線ネットワーク制御装置）の機能とＮｏｄｅＢ（無線基地局）の機能とが縮退されてなるＥ−ＵＴＲＡＮ（Ｅｖｏｌｖｅｄ−ＵＴＲＡＮ）  ＮｏｄｅＢ（ｅＮｏｄｅＢ）が複数のコアネットワーク装置［ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）］と、そしてｅＮｏｄｅＢ同士でメッシュ状に接続される構成がある（例えば、非特許文献１参照）。
【特許文献１】“ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）  ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）  ９．Ａｒｃｈｉｔｅｃｔｕｒｅ  ｆｏｒ  ｅｖｏｌｖｅｄ  ＵＴＲＡＮ”［３ＧＰＰ  ＴＲ２５．９１２  Ｖ７．０．０（２００６−０６），ｐｐ３１−３７］
【発明の開示】
【発明が解決しようとする課題】
【０００４】
上述した従来のシステム構成では、複数の異種装置間や同一種装置間をメッシュ状に接続する移動通信システムの場合、システム運用中に装置の追加設置を行おうとすると、組込み処理が複雑であるために、人的ミス発生や実績のない装置の個体不良の発生によって、初期設定処理による一時的な負荷ピークを発生させ、システムの提供するサービス品質の劣化を誘発、さらにはその影響範囲が拡大してしまう危険性をはらんでいる。
【０００５】
また、３ＧＰＰで現在標準化中のｅｖｏｌｖｅｄ  ＵＴＲＡ／ＵＴＲＡＮにしたがって検討されている次世代移動通信システムのような過渡期のシステムでは、マルチベンダ下の装置をつなぎあわそうとすると、インタオペラビリティ性に起因する不測の問題も発生してしまう可能性がある。
【０００６】
そこで、本発明の目的は上記の問題点を解消し、稼働中のシステムにおける装置の追加配置（組込み）における省力化及び運用コストの低減を図ることができる移動通信システム、管理サーバ装置及びそれらに用いる装置管理方法を提供することにある。
【課題を解決するための手段】
【０００７】
本発明による移動通信システムは、無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムであって、
前記複数のコアネットワーク装置及び前記ｅＮｏｄｅＢ各々の動作の正常性を一元的に監視する管理サーバ装置を備え、
前記管理サーバ装置は、予め登録されたエスカレーションシナリオに則って稼働中に追加される追加装置の接続先及び機能を段階的にエスカレーションさせて通常の運用状態に導く手段と、システム全体としての動作の正常性を一元的に監視する手段と、前記追加装置の設置によって異常が発生した場合に当該追加装置をシステムから切離しかつその影響範囲及び原因を特定する手段とを具備している。
【０００８】
本発明による管理サーバ装置は、無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムにおいて、前記複数のコアネットワーク装置及び前記ｅＮｏｄｅＢ各々の動作の正常性を一元的に監視する手段と、
予め登録されたエスカレーションシナリオに則って稼働中に追加される追加装置の接続先及び機能を段階的にエスカレーションさせて通常の運用状態に導く手段と、
前記追加装置の設置によって異常が発生した場合に当該追加装置をシステムから切離しかつその影響範囲及び原因を特定する手段とを備えている。
【０００９】
本発明による装置管理方法は、無線ネットワーク制御装置の機能と無線基地局の機能とが縮退されてなるｅＮｏｄｅＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］が複数のコアネットワーク装置との間及び前記ｅＮｏｄｅＢ同士間でメッシュ状に接続される移動通信システムに用いる装置管理方法であって、
前記複数のコアネットワーク装置及び前記ｅＮｏｄｅＢ各々の動作の正常性を一元的に監視する管理サーバ装置が、予め登録されたエスカレーションシナリオに則って稼働中に追加される追加装置の接続先及び機能を段階的にエスカレーションさせて通常の運用状態に導く処理と、システム全体としての動作の正常性を一元的に監視する処理と、前記追加装置の設置によって異常が発生した場合に当該追加装置をシステムから切離しかつその影響範囲及び原因を特定する処理とを実行している。
【００１０】
すなわち、本発明の移動通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）で現在標準化中のｅｖｏｌｖｅｄ  ＵＴＲＡ（Ｕｎｉｖｅｒｓａｌ  Ｔｅｒｒｅｓｔｒｉａｌ  Ｒａｄｉｏ  Ａｃｃｅｓｓ）／ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にしたがって検討されている次世代移動通信システムに関するものである。
【００１１】
本発明の移動通信システムは、ＲＮＣ（Ｒａｄｉｏ  Ｎｅｔｗｏｒｋ  Ｃｏｎｔｒｏｌｌｅｒ：無線ネットワーク制御装置）の機能とＮｏｄｅＢ（無線基地局）の機能とが縮退されてなるＥ−ＵＴＲＡＮ  ＮｏｄｅＢ（ｅＮｏｄｅＢ）が複数のコアネットワーク装置［ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）］と、そしてｅＮｏｄｅＢ同士でメッシュ状に接続される構成に対し、システム運用中にＭＭＥ／ＵＰＥやｅＮｏｄｅＢを追加設置する際、予め登録されたシナリオに則って当該追加装置の接続先や機能を段階的にエスカレーションさせ、システム全体としての動作の正常性を一元的に監視しながら通常の運用状態に導く方式を用いることによって、人的ミス発生や装置不良発生時の通信品質低下の低減、もしくは局所に封じ込め、運用コスト（ＯＰＥＸ）の低減を実現可能としている。
【００１２】
より具体的に説明すると、本発明の移動通信システムでは、複数の異種装置間や同一種装置間をメッシュ状に接続する移動通信システムにおいて装置の追加設置を行う際に、予め登録されたエスカレーションシナリオに則って当該追加装置の接続先や機能を段階的にエスカレーションさせ、通常の運用状態に導く手段と、システム全体としての動作の正常性を一元的に監視する手段と、当該シナリオの内容をオペレータやベンダのニーズに応じて自由にカスタマイズする手段と、装置の追加設置によって異常が発生した場合に当該装置を即刻システムから切離すとともにその影響範囲や原因を特定する手段とを提供する管理サーバと、管理サーバからの指示に応じ、自装置の状態をレポートするクライアント的な機能を被管理装置内に有している。
【００１３】
上記のように、本発明の移動通信システムでは、上述した手段を設けることによって、稼働中のシステムにおける装置の追加配置（組込み）における省力化、運用コスト（ＯＰＥＸ）の低減を図ることが可能となる。
【００１４】
また、本発明の移動通信システムでは、当該エスカレーションシナリオに、エンドユーザにとっての通話品質に直結する監視項目を設定しているので、エンドユーザのＣＳ（Ｃｕｓｔｏｍｅｒ  Ｓａｔｉｓｆａｃｔｉｏｎ：顧客満足）の維持／向上を最重要視したシステムを構築することが可能となる。
【００１５】
さらに、本発明の移動通信システムでは、当該エスカレーションシナリオの内容を、オペレータやベンダの求める管理レベル、品質レベルに応じてカスタマイズ可能としているので、サービス提供者（通信オペレータ）への満足感／安心感を得ることが可能となる。
【発明の効果】
【００１６】
本発明は、上記のような構成及び動作とすることで、稼働中のシステムにおける装置の追加配置（組込み）における省力化及び運用コストの低減を図ることができるという効果が得られる。
【発明を実施するための最良の形態】
【００１７】
次に、本発明の実施例について図面を参照して説明する。図１は本発明の一実施例による移動通信システムの構成を示すブロック図である。図１において、本発明の一実施例による移動通信システムでは、ｅｖｏｌｖｅｄ  ＵＴＲＡ（Ｕｎｉｖｅｒｓａｌ  Ｔｅｒｒｅｓｔｒｉａｌ  Ｒａｄｉｏ  Ａｃｃｅｓｓ）／ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にしたがった次世代移動通信システムのＥｖｏｌｖｅｄ  Ｐａｃｋｅｔ  Ｃｏｒｅ１００、Ｅｖｏｌｖｅｄ  ＲＡＮ（Ｒａｄｉｏ  Ａｃｃｅｓｓ  Ｎｅｔｗｏｒｋ）２００各々に、例として２台のＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）（コアネットワーク装置）１，２と、３台のｅＮｏｄｅＢ（Ｅ−ＵＴＲＡＮ  ＮｏｄｅＢ）３〜５とを有し、ＭＭＥ／ＵＰＥ１，２とｅＮｏｄｅＢ３〜５との間をＳ１インタフェース１０１で、ｅＮｏｄｅＢ３〜５同士をＸ２インタフェース１０２でメッシュ状に接続されている。
【００１８】
これらの装置（ＭＭＥ／ＵＰＥ１，２及びｅＮｏｄｅＢ３〜５）に対しては、管理インタフェース１０３を介し、システム全体としての動作の正常性を一元的に監視する管理サーバ６が接続されている。
【００１９】
図２は図１の管理サーバ６の構成例を示すブロック図である。図２において、管理サーバ６には、操作者に対してエスカレーションシナリオの設定／表示、システム内の各装置の監視情報の表示を行うＨＭＩ（Ｈｕｍａｎ  Ｍａｃｈｉｎｅ  Ｉｎｔｅｒｆａｃｅ）６１と、ＨＭＩ６１によってデータベースとして設定されたエスカレーションシナリオ６５にしたがって、実際に装置の追加配置時に機能や接続先を段階的にエスカレーションさせるエスカレーションシナリオ管理部６２と、エスカレーションシナリオ６５にしたがってシステムが稼働している間、システム内の各装置を通信処理部６４経由で監視し、データベースとして監視情報６６を記録する装置監視処理部６３とを具備している。
【００２０】
図３は図１の管理サーバ６の管理対象である装置（ＭＭＥ／ＵＰＥ１，２及びｅＮｏｄｅＢ３〜５）の構成例を示すブロック図である。図３において、装置１０には、通信処理部１４経由での管理サーバ６からの要求にしたがい、その装置本来の処理を実行するメイン処理部１１の機能や自装置の接続先といった基本設定や稼動実績情報を参照／変更するエスカレーション情報管理部１２と、同じく通信処理部１４経由での管理サーバ６からの要求にしたがい、メイン処理部１１から動作状況（障害情報）に関する情報を取得して管理サーバ６に報告する障害管理部１３とを具備している。
【００２１】
図４及び図５は図２のエスカレーションシナリオ６５の構成例を示す図である。図４及び図５において、エスカレーションシナリオ６５は、２台のｅＮｏｄｅＢ、２台のＭＭＥ／ＵＰＥ（セット）に対し、３段階のエスカレーションステージをもって１台のｅＮｏｄｅＢを追加する場合に蓄積する内容を示しており、次ステージへの移行条件をリストアップした表である。
【００２２】
追加設置となるｅＮｏｄｅＢ−ＮＥＷの場合、例えば、接続先装置制限、稼動機能制限レベル、装置異常発生数、装置輻輳度（例：平均）、通信路異常発生数、通信路輻輳度（例：平均）、発信処理実績数、着信処理実績数、ハンドオーバ（ＨＯ）処理実績数、稼動実績時間等の項目を具備している。
【００２３】
また、稼働中の各装置（ｅＮｏｄｅＢ−１、ｅＮｏｄｅＢ−２、ＭＭＥ／ＵＰＥ−１、ＭＭＥ／ＵＰＥ−２）の場合、例えば、接続先装置制限、稼動機能制限レベル、装置異常発生数、装置輻輳度（例：平均）、通信路異常発生数、通信路輻輳度（例：平均）等の項目を具備している。
【００２４】
これらは、表中の「区分」に記しているように、Ｌ：稼動制限情報、Ｆ：エスカレーション判定情報（障害情報系）、Ｅ：エスカレーション判定情報（稼動実績系）で区分できる。
【００２５】
また、この例における稼動機能制限レベルとしては、ｅＮｏｄｅＢの場合には、レベルａ：ｍａｘｉｍｕｍ（フル機能）、レベルｂ：ｍｉｎｉｍｕｍ（特定の機能に制限）の２レベルとしており、ＭＭＥ／ＵＰＥの場合も、レベルＡ：ｍａｘｉｍｕｍ（フル機能）、レベルＢ：ｍｉｎｉｍｕｍ（特定の機能に制限）としている。
【００２６】
さらに、エスカレーションステージは、３段階としており、ｅＮｏｄｅＢ−ＮＥＷの追加設置直後のステージがＳｔａｇｅ１、機能や接続先を一部エスカレーション（拡大）したＳｔａｇｅ２、そして通常の稼動状態がＳｔａｇｅ３である。
【００２７】
例えば、ｅＮｏｄｅＢ−ＮＥＷは、Ｓｔａｇｅｔ１において、ｅＮｏｄｅＢ−１、ＭＭＥ／ＵＰＥ−１とのみ接続し、稼動機能制限レベルｂにて、Ｅ：エスカレーション判定情報（稼動実績系）の全てが本表記載の値を上回り、かつｅＮｏｄｅＢ−ＮＥＷ及び他の装置におけるＦで示したエスカレーション判定情報（障害情報系）が本表記載の値を全て下回った場合、Ｓｔａｇｅ２へと移行する。
【００２８】
図６〜図８は本発明の一実施例による移動通信システムの動作を示すシーケンスチャートである。これら図１〜図８を参照して本発明の一実施例による移動通信システムの動作について説明する。尚、図６〜図８においては、ｅＮｏｄｅＢをｅＮＢと表記している。
【００２９】
図６〜図８は図４及び図５に示すエスカレーションシナリオを基に、実際にエスカレーションする際に装置間でやりとりするシーケンスを説明したものである。４つの点線枠はそれぞれ「Ｓｔａｇｅ１（図６）」、「Ｓｔａｇｅ２（図７）」、「Ｓｔａｇｅ３及び追加前状況へ（図８）」の動作を示しており、「追加前状況へ」の点線枠は、Ｓｔａｇｅ２もしくはＳｔａｇｅｔ３で異常と判定され、ｅＮｏｄｅＢ−ＮＥＷの切離しが発生した場合の例を示している。
【００３０】
まず、追加設置を所望する操作者は、追加設置するｅＮｏｄｅＢ−ＮＥＷを設置・起動・基本初期設定を行い（図６のＳ１０１）、システムへの組込みが最低限可能なセットアップを行う（システムのネットワークに接続するにあたり必要となるＩＰ（Ｉｎｔｅｒｎｅｔ  Ｐｒｏｔｏｃｏｌ）アドレスや、呼処理系の基本情報の設定等）。ここで、ｅＮｏｄｅＢ−１，ｅＮｏｄｅＢ−２，ＭＭＥ／ＵＰＥ−１，ＭＭＥ／ＵＰＥ−２は稼働中である（図６のＳ１０３）。
【００３１】
その後、操作者は、図４及び図５に示すようなエスカレーションシナリオの登録を管理サーバ６に対して行う（図６のＳ１０２）。その結果、管理サーバ６は、ｅＮｏｄｅＢ−ＮＥＷ、及びＳｔａｇｅ１での接続となるｅＮｏｄｅＢ−１とＭＭＥ／ＵＰＥ−１とに対して、エスカレーションシナリオにしたがった諸登録を行う。これは、例えばｅＮｏｄｅＢ−ＮＥＷにおいては、機能や接続先に関する稼動制限や、モニタすべき稼動実績／障害情報を設定することと同意である。
【００３２】
続いて、管理サーバ６は、各装置のＳｔａｇｅ１状態監視（図６のＳ１０５）と判定（図６のＳ１０６）とを周期的に実施する。この監視は、図４及び図５に示されたステージ移行条件の成立／不成立の確定（含：図４に記載の稼動実績時間の満了）まで繰り返される。
【００３３】
上記の処理においてもし移行条件が成立した場合、その旨を操作者へ結果表示の上（図６のＳ１０７）、Ｓｔａｇｅ２へと移行し、上記の処理と同様に、Ｓｔａｇｅ２情報登録（図７のＳ１０８）を実施後、Ｓｔａｇｅ２状態監視（図７のＳ１０９）と判定（図７のＳ１１０）とを周期的に実施する。
【００３４】
上記の処理においてもし移行条件が成立したら、操作者へ結果表示の上（図７のＳ１１１）、Ｓｔａｇｅ３（＝通常稼動）へと移行する。尚、図６〜図８に示す動作例では、Ｓｔａｇｅ３（＝通常稼動）の場合、Ｓｔａｇｅ３情報登録（図８のＳ１１２）の後、Ｓｔａｇｅ３状態監視（図８のＳ１１３）は継続するが、これ以上のステージ移行は実施しない場合の例で記している。
【００３５】
また、図８に示す「追加前状況へ」の点線枠は、Ｓｔａｇｅ２もしくはＳｔａｇｅｔ３で異常と判定された場合の例である。もし異常が判定された場合には、各装置（ｅＮｏｄｅＢ−１，ｅＮｏｄｅＢ−２，ＭＭＥ／ＵＰＥ−１，ＭＭＥ／ＵＰＥ−２）に対し、ｅＮｏｄｅＢ−ＮＥＷを切離すための諸設定を実施の上で情報を収集し（図８のＳ１１５）、その情報を集計した後（図８のＳ１１６）、その集計結果を操作者へ表示する（図８のＳ１１７）。
【００３６】
このように、本実施例では、エスカレーションシナリオに則って追加装置の接続先や機能を段階的にエスカレーションさせて通常の運用状態に導く手段と、システム全体としての動作の正常性を一元的に監視する手段と、装置の追加設置によって異常が発生した場合に当該装置を切離すとともにその影響範囲や原因を特定する手段とを有しているので、稼働中のシステムにおける装置の追加配置（組込み）における省力化、運用コスト（ＯＰＥＸ）の低減を図ることができる。
【００３７】
また、本実施例では、当該エスカレーションシナリオに、エンドユーザにとっての通話品質に直結する監視項目を設定しているので、エンドユーザのＣＳ（Ｃｕｓｔｏｍｅｒ  Ｓａｔｉｓｆａｃｔｉｏｎ：顧客満足）の維持／向上を最重要視したシステムを構築することができる。
【００３８】
さらに、本実施例では、当該エスカレーションシナリオの内容を、オペレータやベンダの求める管理レベル、品質レベルに応じてカスタマイズする手段を有しているので、サービス提供者（通信オペレータ）への満足感／安心感を得ることができる。
【００３９】
本発明は、上記の図４及び図５において移行条件を全て埋めているが、利用者の要求に応じ、項目をピックアップしたり、項目の変更や追加を行ったりすることも可能である。
【００４０】
また、本発明は、上記の図４〜図８において通常稼動へ向かってのエスカレーションのみを記しているが、各ステージにおける条件が満了されなかった場合をもって、単に追加装置の切離しをするのではなく、前段階のステージへ戻す等の処理を行うことも可能である。
【００４１】
さらに、本発明は、上記の図６〜図８においてＳｔａｇｅ状態監視を周期実行しているが、監視対象側の方から条件成立／不成立時に自発的に管理サーバ６に通知することも可能である。
【００４２】
さらにまた、本発明は、上記の図６〜図８において移行条件が成立次第、自動的に次ステージへと移行しているが、移行条件の成立／不成立時に操作者に通知し、操作者の判断によってその都度ステージ移行の実行有無を決定することも可能である。
【産業上の利用可能性】
【００４３】
本発明は、３ＧＰＰで現在標準化中のｅｖｏｌｖｅｄ  ＵＴＲＡ／ＵＴＲＡＮにしたがって検討されている次世代移動通信システム、またネットワークで接続された複数の装置で構成されるシステムに適用可能であり、特に、その中に複数の異種装置間や同一種装置間をメッシュ状に接続するシステムにおいて、システム運用中の装置の追加設置を行う場合に広く適用することができる。
【図面の簡単な説明】
【００４４】
【図１】本発明の一実施例による移動通信システムの構成を示すブロック図である。
【図２】図１の管理サーバの構成例を示すブロック図である。
【図３】図１の管理サーバの管理対象である装置（ＭＭＥ／ＵＰＥ及びｅＮｏｄｅＢ）の構成例を示すブロック図である。
【図４】図２のエスカレーションシナリオの構成例を示す図である。
【図５】図２のエスカレーションシナリオの構成例を示す図である。
【図６】本発明の一実施例による移動通信システムの動作を示すシーケンスチャートである。
【図７】本発明の一実施例による移動通信システムの動作を示すシーケンスチャートである。
【図８】本発明の一実施例による移動通信システムの動作を示すシーケンスチャートである。
【符号の説明】
【００４５】
１，２  ＭＭＥ／ＵＰＥ
３〜５  ｅＮｏｄｅＢ
６  管理サーバ
１０  装置
１１  メイン処理部
１２  エスカレーション情報管理部
１３  障害管理部
１４  通信処理部
６１  ＨＭＩ
６２  エスカレーションシナリオ管理部
６３  装置監視処理部
６４  通信処理部
６５  エスカレーションシナリオ
６６  監視情報
１００  Ｅｖｏｌｖｅｄ  Ｐａｃｋｅｔ  Ｃｏｒｅ
１０１  Ｓ１インタフェース
１０２  Ｘ２インタフェース
１０３  管理インタフェース
２００  Ｅｖｏｌｖｅｄ  ＲＡＮ
【図１】
2008109321.tif 000003
【図２】
2008109321.tif 000004
【図３】
2008109321.tif 000005
【図４】
2008109321.tif 000006
【図５】
2008109321.tif 000007
【図６】
2008109321.tif 000008
【図７】
2008109321.tif 000009
【図８】
2008109321.tif 000010